(57)【特許請求の範囲】
【請求項１】
キャビネット本体の上端開口部内にシンクを収容設置してなり、キャビネット本体の後側上端部分を後方へ膨出形成して、該膨出部の内部スペースにシンクの後端部分を収容すると共に、同膨出部の下方外部スペースを配管スペースとなした流し台キャビネットであって、膨出部の下面を塞ぐ仕切板を開口枠部材の後端部分の下側に設け、該仕切板の前端縁とキャビネット本体の背板の上端縁とを連設させると共に、該開口枠部材の両側枠の下端縁と同キャビネット本体の両側板の上端縁とを連設させて、少なくとも膨出部をキャビネット本体とは別体に形成して、これを同キャビネット本体に結合固定し組立一体化してなる流し台キャビネット。
【請求項２】
キャビネット本体の背板の上端部分に欠除開口を形成し、該欠除開口に膨出部の下面を塞ぐ仕切板の前端縁とキャビネット本体の背板の欠除開口の下縁とを連設させると共に、該キャビネット本体の両側板の上端部分の後端縁と同膨出部の両側面を塞ぐ両側面板の前端縁とを連設させて、組立一体化したことを特徴とする請求項１記載の流し台キャビネット。
【発明の詳細な説明】
【０００１】
【発明の属する技術分野】
本発明は、キャビネット本体の上端開口部内にシンクを収容設置してなる流し台キャビネットに関するものである。
【０００２】
【従来の技術】
従来から、図７、８に示す如く、キャビネット本体１の上端開口部２内にシンク３を収容設置してなり、キャビネット本体１の後側上端部分を後方へ膨出形成して、該膨出部４の内部スペース５にシンク３の後端部分を収容すると共に、同膨出部４の下方外部スペースを配管スペース６となした流し台キャビネットは知られている。
【０００３】
この場合、キャビネット本体１は背板９と両側板１１と底板１６とで前方及び上方へ開口した箱型に形成され、台輪１４を介して床面１５上に設置されるもので、同背板９の上端部分に膨出部４が形成されている。キャビネット本体１の上端開口部２上にはカウンター１９が設置固定され、該カウンター１９にシンク３が設けられており、同キャビネット本体１の前方開口にはこれを開閉する扉パネル２７が付設されている。
【０００４】
又、キャビネット本体１の上端開口部２は、両側板１１と該両側板１１の上端前後を架設状に結合する前桟材３２及び後桟材３５とで囲まれており、その上にカウンター１９が設置固定されると共に、同前桟材３２の前面に扉パネル２７の上端部分が着脱自在に当止される。又、膨出部４を形成するために、両側板１１の後端縁に切欠部３４を形成し、該切欠部３４の各コーナー部分において両側板１１間に横桟材３６を架設固定し、背板９を上下複数枚に分割形成して各分割された背板９を後桟材３５、各横桟材３６、底板１６の後端縁各々の間に架設固定して、キャビネット本体１の後方を閉塞している。
【０００５】
したがって、該流し台キャビネットにおいては、膨出部４の内部スペース５にシンク３の後端部分が収容されるので、大型のシンク３を設置することができ、しかも、カウンター１９の後端縁と共に膨出部４が後方の壁面２６に当接するように設置され、該膨出部４の下方で背板９と同壁面２６との間に配管スペース６が形成されるので、該配管スペース６内に、シンク３に付設される水栓カラン（図示せず）へと給水する給水管等の配管を収容することができ、配管の施工性に優れ、施工仕上がり外観も良好で、キャビネット本体１の内部を収納スペースとして支障なく利用することができる。
【０００６】
【発明が解決しようとする課題】
しかしながら、上記従来の技術においては、膨出部４がキャビネット本体１の後方へ一体に突設されているため、該膨出部４が邪魔になって梱包の納まりが悪く、梱包が大型化してしまうという問題があった。又、キャビネット本体１を組み立てる際に、両側板１１の後端縁に切欠部３４を形成したり、同両側板１１間に複数本の横桟材３６を架設したり、背板９を上下複数枚に分割形成して各分割された背板９を各々取り付けたりする必要があって、組立作業性が良くないという問題もあった。
【０００７】
本発明は、上記従来の技術における問題を悉く解決するために発明されたもので、すなわち、その課題は、梱包時の納まりが良く、組立作業性も良好な流し台キャビネットを提供することである。
【０００８】
【課題を解決するための手段】
本発明の請求項１記載の流し台キャビネットは、キャビネット本体の上端開口部内にシンクを収容設置してなり、キャビネット本体の後側上端部分を後方へ膨出形成して、該膨出部の内部スペースにシンクの後端部分を収容すると共に、同膨出部の下方外部スペースを配管スペースとなした流し台キャビネットであって、少なくとも膨出部をキャビネット本体とは別体に形成してこれを同キャビネット本体に結合固定し組立一体化してなる。
【０００９】
したがって、この場合、キャビネット本体の後側上端部分に後方へ膨出する膨出部が形成され、少なくとも該膨出部がキャビネット本体とは別体に形成されてこれが同キャビネット本体に結合固定され組立一体化されるので、キャビネット本体から膨出部を分離した状態にして納まり良くコンパクトに梱包することができる。しかも、別体に形成された膨出部をキャビネット本体に結合固定して、簡単に組立一体化することができる。
【００１０】
又、膨出部の内部スペースにシンクの後端部分が収容されるので、大型のシンクを設置することができ、しかも、該膨出部の下方外部スペースが配管スペースとなるので、該配管スペース内に配管を収容することができ、配管の施工性に優れ、施工仕上がり外観も良好で、キャビネット本体の内部を収納スペースとして支障なく利用することができる。
【００１１】上記請求項１記載の流し台キャビネットにおいて、キャビネット本体の上端開口部分を開口枠部材として該キャビネット本体とは別体に形成し、同開口枠部材の後端部分を膨出部となして、該開口枠部材を同キャビネット本体に結合固定し組立一体化したことを特徴とする。
【００１２】
したがって、この場合は特に、キャビネット本体の上端開口部分が開口枠部材として膨出部と共に別体に形成されるので、開口枠部材を分離した状態にしてキャビネット本体を小型化し、よりコンパクトに梱包することができ、しかも、該開口枠部材を同キャビネット本体に結合固定して簡単に組立一体化することもできる。
【００１３】本発明の請求項１記載の流し台キャビネットは、膨出部の下面を塞ぐ仕切板を開口枠部材の後端部分の下側に設け、該仕切板の前端縁とキャビネット本体の背板の上端縁とを連設させると共に、該開口枠部材の両側枠の下端縁と同キャビネット本体の両側板の上端縁とを連設させて、組立一体化したことを特徴とする。
【００１４】
したがって、この場合は特に、組立一体化した際に、開口枠部材の両側枠の下端縁とキャビネット本体の両側板の上端縁とが連設されるので、該キャビネット本体上に同開口枠部材は巾が揃い安定した状態に支持され、同キャビネット本体の両側板には従来のように切欠部を形成しなくても良いので、切欠除去することによる端材が出ず矩形板材を有効に使用することができる。しかも、膨出部の下面を塞ぐ仕切板を開口枠部材の後端部分の下側に予め設けておくことで、組立一体化の際に、該仕切板の前端縁とキャビネット本体の背板の上端縁とが連設されて該膨出部は簡単に覆い塞がれ、同キャビネット本体内への虫の侵入が防止される。
【００１７】本発明の請求項２記載の流し台キャビネットは、上記請求項１記載の流し台キャビネットにおいて、キャビネット本体の背板の上端部分に欠除開口を形成し、該欠除開口に膨出部を結合固定したことを特徴とする。
【００１８】
したがって、この場合は特に、キャビネット本体の背板の高さ寸法を小さくすることでその上端部分に欠除開口を簡単に形成することができ、該欠除開口に膨出部を結合固定して該膨出部と同キャビネット本体とを連通させ、同膨出部の内部スペースにシンクの後端部分を支障なく収容することができる。
【００１９】本発明の請求項２記載の流し台キャビネットは、上記請求項１記載の流し台キャビネットにおいて、膨出部の下面を塞ぐ仕切板の前端縁とキャビネット本体の背板の欠除開口の下縁とを連設させると共に、該キャビネット本体の両側板の上端部分の後端縁と同膨出部の両側面を塞ぐ両側面板の前端縁とを連設させて、組立一体化したことを特徴とする。
【００２０】
したがって、この場合は特に、組立一体化した際に、キャビネット本体の両側板の上端部分の後端縁と膨出部の両側面板の前端縁とが連設されるので、該キャビネット本体の後方に同膨出部は巾が揃って体裁良く結合固定され、同キャビネット本体の両側板には従来のように切欠部を形成しなくても良いので、切欠除去することによる端材が出ず矩形板材を有効に使用することができる。しかも、組立一体化の際に、膨出部の下面を塞ぐ仕切板の前端縁とキャビネット本体の背板の欠除開口の下縁とが連設されて該膨出部は覆い塞がれ、同キャビネット本体内への虫の侵入が防止される。
【００２１】
【発明の実施の形態】図１〜４は、本発明の請求項１に対応する一実施形態を示し、該実施形態の流し台キャビネットは、キャビネット本体１の上端開口部２内にシンク３を収容設置してなり、キャビネット本体１の後側上端部分を後方へ膨出形成して、該膨出部４の内部スペース５にシンク３の後端部分を収容すると共に、同膨出部４の下方外部スペースを配管スペース６となした流し台キャビネットであって、少なくとも膨出部４をキャビネット本体１とは別体に形成してこれを同キャビネット本体１に結合固定し組立一体化してなる。
【００２２】
該実施形態の流し台キャビネットにおいては、キャビネット本体１の上端開口部分を開口枠部材７として該キャビネット本体１とは別体に形成し、同開口枠部材７の後端部分を膨出部４となして、該開口枠部材７を同キャビネット本体１に結合固定し組立一体化している。しかも、この場合に、膨出部４の下面を塞ぐ仕切板８を開口枠部材７の後端部分の下側に設け、該仕切板８の前端縁とキャビネット本体１の背板９の上端縁とを連設させると共に、該開口枠部材７の両側枠１０の下端縁と同キャビネット本体１の両側板１１の上端縁とを連設させて、組立一体化してもいる。
【００２３】
キャビネット本体１は木製で前方及び上方へ開口した箱型に形成され、台輪１４を介して台所の床面１５上に設置されるものである。該キャビネット本体１は背板９と両側板１１と底板１６とが結合固着されて形成され、該背板９は、両側板１１の上後端を架設状に結合する補強桟材１７と、該補強桟材１７に上端縁部分が固着されてキャビネット本体１の後方開口を閉塞するように取着される薄板材１８と、で形成されている。
【００２４】
開口枠部材７は木製で前記キャビネット本体１の上方開口よりも後方へ膨出部４だけ大きな矩形枠状に枠組み形成され、その後端部分の下側に同膨出部４の下面を塞ぐ仕切板８が組立一体化前に予め付設固定されている。該開口枠部材７は前記キャビネット本体１の上方開口上に設置され結合固定されるものであり、その際、開口枠部材７の両側枠１０の下縁端面がキャビネット本体１の両側板１１の上縁端面上に支持固定されると共に、仕切板８の前縁下面が同キャビネット本体１の背板９となる補強桟材１７及び薄板材１８の上縁端面上に支持固定される。
【００２５】
又、開口枠部材７の内部開口がキャビネット本体１の上端開口部２となり、該上端開口部２上には合成樹脂製のカウンター１９が設置固定され、該カウンター１９にステンレス製のシンク３が設けられている。この場合、図３に示す如く、カウンター１９に矩形開口２０が形成され、該矩形開口２０の裏側にこれに対応する矩形状のシンク３が配置され、該シンク３の上端縁に形成されるフランジ２１が同カウンター１９の裏面に固着されて取り付けられている。シンク３の後側中程には前方へ突出屈曲した部分が形成されており、該突出屈曲した部分の上面に水栓カラン２２が付設されている。
【００２６】
又、シンク３の底部には排水口２３が形成されており、図１に示す如く、該排水口２３から垂設される排水管２４がキャビネット本体１内に垂設配管されている。シンク３の前記水栓カラン２２からは、該水栓カラン２２へと同シンク３内で使用される水を供給する給水管２５が垂設されており、該給水管２５が配管スペース６内に収容配管されている。この場合、カウンター１９の後端縁と共に膨出部４が後方の壁面２６に当接するように設置され、該膨出部４の下方で背板９と同壁面２６との間に配管スペース６が形成されている。
【００２７】
又、キャビネット本体１の前方開口にはこれを開閉する扉パネル２７が付設されており、該扉パネル２７の上端部分は前記開口枠部材７の前枠部材前面に着脱自在に当止される。又、開口枠部材７の両側枠１０とキャビネット本体１の両側板１１とは両者の外側面を面一状に連続させて結合固定され、その際、図４（ａ）に示す如く、側板１１の上縁端面に形成されるダボ凸部２８に側枠１０の下縁端面に形成されるダボ凹部２９が嵌合されたり、或いは、図４（ｂ）に示す如く、側板１１と側枠１０の外側面間に跨がる連結金具板３０が両者にネジ釘等の固着具３１で取着されたりして結合固定される。
【００２８】
したがって、該実施形態の流し台キャビネットにおいては、キャビネット本体１の後側上端部分に後方へ膨出する膨出部４が形成され、少なくとも該膨出部４がキャビネット本体１とは別体に形成されてこれが同キャビネット本体１に結合固定され組立一体化されるので、キャビネット本体１から膨出部４を分離した状態にして納まり良くコンパクトに梱包することができる。しかも、別体に形成された膨出部４をキャビネット本体１に結合固定して、簡単に組立一体化することができる。
【００２９】
又、この場合には、膨出部４の内部スペース５にシンク３の後端部分が収容されるので、大型のシンク３を設置することができ、しかも、該膨出部４の下方外部スペースが配管スペース６となるので、該配管スペース６内に配管を収容することができ、配管の施工性に優れ、施工仕上がり外観も良好で、キャビネット本体１の内部を調理道具、調味料等の台所用品が収納される収納スペースとして支障なく利用することができる。
【００３０】
又、該実施形態の流し台キャビネットにおいては、特に、キャビネット本体１の上端開口部分が開口枠部材７として膨出部４と共に別体に形成されるので、開口枠部材７を分離した状態にしてキャビネット本体１を小型化し、よりコンパクトに梱包することができ、しかも、該開口枠部材７を同キャビネット本体１に結合固定して簡単に組立一体化することもできる。
【００３１】
又、組立一体化した際に、開口枠部材７の両側枠１０の下端縁とキャビネット本体１の両側板１１の上端縁とが連設されるので、該キャビネット本体１上に同開口枠部材７は巾が揃い安定した状態に支持固定され、同キャビネット本体１の両側板１１には従来のように切欠部３４を形成しなくても良いので、切欠除去することによる端材が出ず矩形板材を有効に使用することができる。しかも、膨出部４の下面を塞ぐ仕切板８が開口枠部材７の後端部分の下側に組立一体化前に予め設けられているので、組立一体化の際には、該仕切板８の前端縁とキャビネット本体１の背板９の上端縁とが連設されて該膨出部４は簡単に覆い塞がれ、同キャビネット本体１内への虫の侵入が防止される。
【００３２】図５、６は、本発明の請求項２に対応する別の実施形態を示し、該実施形態の流し台キャビネットにおいては、特に、膨出部４だけをキャビネット本体１とは別体に形成してこれを同キャビネット本体１に結合固定し組立一体化している。この場合、キャビネット本体１の上端開口部２は、両側板１１と、該両側板１１の上前端を架設状に結合する前桟材３２と、膨出部４の両側面板１３及び後面板３３とで囲まれており、その上にカウンター１９が設置固定され、又、同前桟材３２の前面に扉パネル２７の上端部分が着脱自在に当止される。
【００３３】
したがって、この場合は特に、膨出部４だけがキャビネット本体１とは別体に形成されるので、分離した膨出部４は小型化され、該膨出部４をキャビネット本体１と共により納まり良く梱包することができ、しかも、別体に形成された該膨出部４だけを同キャビネット本体１に結合固定して簡単に組立一体化することもできる。
【００３４】
又、この場合に、キャビネット本体１の背板９の上端部分に欠除開口１２を形成し、該欠除開口１２に膨出部４を結合固定しているので、キャビネット本体１の背板９の高さ寸法を小さくすることでその上端部分に欠除開口１２を簡単に形成することができ、該欠除開口１２に膨出部４を結合固定して該膨出部４と同キャビネット本体１とを連通させ、同膨出部４の内部スペース５にシンク３の後端部分を支障なく収容することができる。
【００３５】
又、その際、膨出部４の下面を塞ぐ仕切板８の前端縁とキャビネット本体１の背板９の欠除開口１２の下縁とを連設させると共に、該キャビネット本体１の両側板１１の上端部分の後端縁と同膨出部４の両側面を塞ぐ両側面板１３の前端縁とを連設させて、組立一体化している。この場合、背板９の上端部分の後面と膨出部４の仕切板８の前端縁面とが固着具３１によって当接結合固着され、同膨出部４の後面を塞ぐ後面板３３が固着具３１によって壁面２６に当接結合固着されている。
【００３６】
したがって、この場合は、組立一体化した際に、キャビネット本体１の両側板１１の上端部分の後端縁と膨出部４の両側面板１３の前端縁とが連設されるので、該キャビネット本体１の後方に同膨出部４は巾が揃って体裁良く結合固定され、同キャビネット本体１の両側板１１には従来のように切欠部３４を形成しなくても良いので、切欠除去することによる端材が出ず矩形板材を有効に使用することができる。しかも、組立一体化の際に、膨出部４の下面を塞ぐ仕切板８の前端縁とキャビネット本体１の背板９の欠除開口１２の下縁とが連設されて該膨出部４は覆い塞がれ、同キャビネット本体１内への虫の侵入が防止される。なお、それ以外は上記実施形態と同様に構成されており、請求項１に係る作用効果が上記実施形態におけると同様に奏される。
【００３７】
【発明の効果】
上述の如く、本発明の請求項１記載の流し台キャビネットにおいては、キャビネット本体から膨出部を分離した状態にして納まり良くコンパクトに梱包することができ、しかも、別体に形成された該膨出部を同キャビネット本体に結合固定して簡単に組立一体化することができる。
【００３８】又、本発明の請求項１記載の流し台キャビネットにおいては、特に、開口枠部材を分離した状態にしてキャビネット本体を小型化し、よりコンパクトに梱包することができ、しかも、該開口枠部材を同キャビネット本体に結合固定して簡単に組立一体化することもできる。
【００３９】又、本発明の請求項１記載の流し台キャビネットにおいては、特に、キャビネット本体上に開口枠部材が安定した状態に支持され、該キャビネット本体の両側板には従来のように切欠部を形成しなくても良いので、矩形板材を有効に使用することができ、しかも、組立一体化の際に膨出部が簡単に覆い塞がれて、同キャビネット本体内への虫の侵入が防止される。
【００４１】又、本発明の請求項２記載の流し台キャビネットにおいては、特に、キャビネット本体の背板の高さ寸法を小さくすることで簡単に形成される欠除開口に、膨出部を結合固定して該膨出部と同キャビネット本体とを連通させ、同膨出部の内部スペースにシンクの後端部分を支障なく収容することができる。
【００４２】又、本発明の請求項２記載の流し台キャビネットにおいては、特に、キャビネット本体の後方に膨出部が体裁良く結合固定され、該キャビネット本体の両側板には従来のように切欠部を形成しなくても良いので、矩形板材を有効に使用することができ、しかも、組立一体化の際に膨出部が覆い塞がれて、同キャビネット本体内への虫の侵入が防止される。
【図面の簡単な説明】
【図１】本発明の一実施形態である流し台キャビネットを示す断面図。
【図２】同流し台キャビネットにおけるキャビネット本体を示す分解斜視図。
【図３】同流し台キャビネットにおけるシンクを示す分解斜視図。
【図４】同流し台キャビネットにおけるキャビネット本体と開口枠部材との結合形態を例示する（ａ）（ｂ）各々異なった結合形態の拡大断面図。
【図５】別の実施形態である流し台キャビネットを示す断面図。
【図６】同流し台キャビネットにおけるキャビネット本体を示す分解斜視図。
【図７】従来例である流し台キャビネットを示す断面図。
【図８】同流し台キャビネットにおけるキャビネット本体を示す分解斜視図。
【符号の説明】
１  キャビネット本体
２  上端開口部
３  シンク
４  膨出部
５  内部スペース
６  配管スペース
７  開口枠部材
８  仕切板
９  背板
１０  側枠
１１  側板
１２  欠除開口
１３  側面板
【図１】
0003546663.tif 000002
【図２】
0003546663.tif 000003
【図３】
0003546663.tif 000004
【図４】
0003546663.tif 000005
【図５】
0003546663.tif 000006
【図６】
0003546663.tif 000007
【図７】
0003546663.tif 000008
【図８】
0003546663.tif 000009